(57)【特許請求の範囲】
【請求項１】
電気エネルギーを供給するためのエネルギー装置（２）であって、
前記エネルギー装置（２）は、溶接トーチに電気エネルギーを供給するためのエネルギー供給装置として構成され、
ユーザ（Ｎ）が目下環境設定している及び／又は調査している、前記エネルギー装置（２）のコンテキストデータ、に応じたコードを、前記エネルギー装置（２）の状態が変化するタイミングとしての前記コンテキストデータが変化するタイミング毎又は定期的なタイミングで、自動的且つ動的に生成するコード生成ユニット（２Ｂ）と、
前記ユーザ（Ｎ）の携帯端末（３）によって取り込むための前記動的に生成されたコードを、前記エネルギー装置（２）の状態が変化するタイミングとしての前記コンテキストデータが変化するタイミング毎又は前記定期的なタイミングで、出力する出力ユニット（２Ｅ）と、
を備え、
前記ユーザ（Ｎ）の携帯端末（３）によって取り込むための前記動的に生成されたコードは、前記エネルギー供給装置の処理のためのパラメータのガイドへのリンクを示すコードを含む、エネルギー装置（２）。
【請求項２】
請求項１に記載のエネルギー装置（２）において、
前記出力ユニット（２Ｅ）は、前記エネルギー装置（２）に一体化され、又はインターフェースを介して前記エネルギー装置（２）に接続された装置内に配置された、エネルギー装置（２）。
【請求項３】
請求項１に記載のエネルギー装置（２）において、
前記エネルギー装置（２）の前記コンテキストデータは、内部コンテキストデータを含んでいて、前記内部コンテキストデータは、装置特定コンテキストデータ、前記エネルギー装置（２）の装置ＩＤ、前記エネルギー装置（２）の予め設定された装置パラメータ又は設定変更可能な装置パラメータ、前記エネルギー装置（２）の目下の装置設定又は前記エネルギー装置（２）の装備品、及び／又はサーバー（６）のネットワークアドレスを含み、及び／又は、前記エネルギー装置（２）の前記コンテキストデータは、外部コンテキストデータを含んでいて、前記外部コンテキストデータは、環境特定コンテキストデータ、及び／又はユーザ特定コンテキストデータを含む、エネルギー装置（２）。
【請求項４】
請求項３に記載のエネルギー装置（２）において、
前記エネルギー装置（２）は、前記内部コンテキストデータ及び／又は前記外部コンテキストデータを蓄積するコンテキストデータメモリ（２Ｃ）を更に備え、
前記コード生成ユニット（２Ｂ）は、前記コンテキストデータメモリ（２Ｃ）から読み出された前記コンテキストデータに応じた前記コードを生成するために前記コンテキストデータメモリ（２Ｃ）にアクセスする、エネルギー装置（２）。
【請求項５】
請求項１から請求項４のいずれか１項に記載のエネルギー装置において、
前記コンテキストデータを自動で取り込むことができるセンサー（２Ｈ）を備え、及び／又は、前記コンテキストデータは、前記エネルギー装置（２）のユーザインターフェースを介して、又はワイヤレスインターフェースを介して前記エネルギー装置（２）に接続される前記携帯端末（３）のユーザインターフェースを介して、前記ユーザ（Ｎ）によって入力されうる、エネルギー装置。
【請求項６】
請求項１から請求項５のいずれか１項に記載のエネルギー装置において、
前記エネルギー装置（２）の前記出力ユニット（２Ｅ）は、前記携帯端末（３）のカメラ（３Ａ）によって取り込み可能な動的に生成された２次元光学コードを表示するように構成された光学ディスプレイユニット（２Ｆ）、及び／又は、前記携帯端末（３）のマイクロフォン（３Ｂ）によって取り込み可能な音響的コードを出力するように構成された音声出力ユニット（２Ｇ）、を有している、エネルギー装置。
【請求項７】
請求項６に記載のエネルギー装置において、
前記携帯端末（３）によってサーバー（６）から受け取られる関連する装置情報データを、ワイヤレスインターフェースを介して前記携帯端末（３）から少なくとも一部、受け取るように構成され、前記携帯端末（３）から前記ワイヤレスインターフェースを介して前記エネルギー装置（２）によって受け取られる前記関連する装置情報データは、前記ユーザ（Ｎ）に対して前記エネルギー装置（２）の前記光学ディスプレイユニット（２Ｆ）に表示することができ、及び／又は、エネルギー装置（２）の音声出力ユニット（２Ｇ）を介して出力することができる、エネルギー装置。
【請求項８】
請求項７に記載のエネルギー装置において、
前記光学ディスプレイユニット（２Ｆ）によって表示される前記動的に生成された２次元光学コードは、ＱＲコード（登録商標）及び／又はバーコードである、エネルギー装置。
【請求項９】
ユーザ（Ｎ）の携帯端末（３）であって、
前記ユーザ（Ｎ）が目下環境設定している及び／又は調査している、エネルギー装置（２）のコンテキストデータ、に応じて動的に生成され、溶接トーチに電気エネルギーを供給するためのエネルギー供給装置として構成される前記エネルギー装置（２）の出力ユニット（２Ｅ）によって出力されるコードであって、前記エネルギー装置（２）の状態が変化するタイミングとしての前記コンテキストデータが変化するタイミング毎又は定期的なタイミングで出力されるコード、を取り込むように構成され、
前記ユーザ（Ｎ）の前記携帯端末（３）は、更に、取り込まれた前記コードの復号化が成功した後、前記エネルギー装置（２）に関連する、前記コンテキストデータで特定されるコンテキストの装置情報データ、を与えるサーバー（６）へのデータ接続を、ネットワーク（５）を通じて自動的に確立するように構成され、且つ、
前記サーバー（６）によって与えられる前記関連する装置情報データを、前記ネットワーク（５）を介して受け取るように構成されており、
前記関連する装置情報データは、前記エネルギー供給装置の処理のためのパラメータのガイドを含む、携帯端末（３）。
【請求項１０】
請求項９に記載の携帯端末（３）において、
前記ネットワーク（５）を通じて前記サーバー（６）から受信された前記エネルギー装置（２）の前記関連する装置情報データを、前記携帯端末（３）のデータ処理ユニット（３Ｃ）を用いて処理するように構成され、又は、前記関連する装置情報データを前記携帯端末（３）のディスプレイ（３Ｇ）において直接前記ユーザ（Ｎ）に表示するように構成されている、携帯端末（３）。
【請求項１１】
エネルギー装置（２）に、関連する装置情報を提供するためのシステム（１）であって、
請求項１から請求項８のいずれか１項に記載のエネルギー装置（２）と、
請求項９又は請求項１０に記載のユーザ（Ｎ）の携帯端末（３）と、
を備え、
前記エネルギー装置（２）の前記出力ユニット（２Ｅ）によって出力された前記動的に生成されたコードであって、前記エネルギー装置（２）の状態が変化するタイミングとしての前記コンテキストデータが変化するタイミング毎又は定期的なタイミングで出力されるコードは、前記ユーザの前記携帯端末（３）によって取り込み可能であり、
前記携帯端末（３）は、その取り込まれた前記動的に生成されたコードの復号化が前記携帯端末（３）の復号化ユニット（３Ｄ）によって成功した後、前記コンテキストデータで特定される前記コンテキストに関連する前記エネルギー装置（２）の装置情報データ、を与えるように構成された前記サーバー（６）へのデータ接続を確立するように構成され、
更に、前記携帯端末（３）は、前記関連する装置情報データの少なくとも一部を前記サーバー（６）からワイヤレスインターフェース（３Ｆ）を介して前記エネルギー装置（２）へ伝えるように構成されている、システム（１）。
【請求項１２】
請求項１１に記載のシステム（１）において、
前記携帯端末（３）のディスプレイ（３Ｇ）及び／又は前記エネルギー装置（２）の光学ディスプレイユニット（２Ｆ）に表示される前記関連する装置情報データは、調整用の操作説明、操作及び／又はコンテキスト特定エラーへの対処、組立説明、装備品説明、校正説明、及び／又は交換部品用の注文書を含む、システム（１）。
【請求項１３】
関連する装置情報データをエネルギー装置（２）に提供するための方法であって、
（ａ）溶接トーチに電気エネルギーを供給するためのエネルギー供給装置として構成される前記エネルギー装置（２）のコード生成ユニット（２Ｂ）によって、ユーザ（Ｎ）が目下環境設定している及び／又は調査しているコンテキストデータに応じたコードを、前記エネルギー装置（２）の状態が変化するタイミングとしての前記コンテキストデータが変化するタイミング毎又は定期的なタイミングで、動的に生成するステップ（Ｓ１）と、
（ｂ）前記エネルギー装置（２）の出力ユニット（２Ｅ）によって、前記動的に生成されたコンテキスト特定コードを、前記エネルギー装置（２）の状態が変化するタイミングとしての前記コンテキストデータが変化するタイミング毎又は定期的なタイミングで、ユーザ（Ｎ）の携帯端末（３）へ出力するステップ（Ｓ２）と、
（ｃ）前記携帯端末（３）の復号化ユニット（３Ｄ）によって、前記動的なコンテキスト特性コードの復号化が成功した後、前記ユーザ（Ｎ）の前記携帯端末（３）とサーバー（６）との間のデータ接続を確立するステップ（Ｓ３）と、
（ｄ）前記サーバー（６）によって、前記コンテキストデータで特定されるコンテキストに関連する装置情報データを提供するステップ（Ｓ４）と、を含み、
前記コンテキストデータで特定されるコンテキストに関連する装置情報データは、前記エネルギー供給装置の処理のためのパラメータのガイドを含む、方法。
【発明の詳細な説明】
【技術分野】
【０００１】
本発明は、電気エネルギーを回収し、蓄積し、充電し、或いは供給するためのエネルギー装置、特に、溶接トーチに電気エネルギーを供給するためのエネルギー供給装置、太陽放射及び／又は風力から得られる電気エネルギーを回収するためのエネルギー回収装置、電気エネルギーを蓄積するためのエネルギー蓄積装置、及び、蓄電池、特にバッテリーに充電するための充電装置に関する。
【背景技術】
【０００２】
電気エネルギーを回収し、蓄積し、或いは供給するためのこの種の装置は、顧客に与えられた後、それらが用いられる場所に取り付けられて、始動される。
【発明の概要】
【発明が解決しようとする課題】
【０００３】
従来のエネルギー装置が始動される際、多くの場合、ユーザは様々な始動ステップ、場合によっては環境設定を行わなければならない。これは、従来、付随する操作説明書を用いながら行われる。更に、この種のエネルギー装置が始動される際に取り付けられる場合、ユーザによる間違ったセッティング又は間違った環境設定が行われ、対応するエラーメッセージの要因となる。もしそのエネルギー装置が統合された又は接続可能なディスプレイを有していれば、一般的に、これらのエラーメッセージは、エネルギー装置におけるこのディスプレイに、例えば対応するエラーメッセージの中に表示される。例えば、表示されるエラーは、エラー番号、又はそのようなものを指定している。付随する操作説明書には、ユーザ又は現地のサービスマンによるこの種のエラーに対する対処法が記載されているかもしれない。もし、ユーザ又はサービスマンが、その操作説明書に記載されている手順を用いたにもかかわらずエネルギー装置に発生したエラーを解決することができなければ、従来では、装置製造者又は装置小売業者が、電話又は書面にて、ユーザからの連絡を受ける。例えば、ユーザは、装置製造者及び／又は装置小売業者のサービスホットラインに電話することができる。もしこのホットラインサービスセンターがフル稼働している場合、ユーザ又はサービスマンは、関連するエネルギー装置について熟知している適切な技術者に電話が繋がるまで比較的長い時間順番を待たなければならない。多くの場合、エネルギー装置は、ユーザによって、例えば太陽放射から得られる電気エネルギーを回収するために彼らの自宅で用いられる。多くの場合、これらのユーザは、必要な専門知識を有しておらず、サービスセンターで働いている技術者に発生したエラーを正確に伝えることができない。従って、多くの場合、不慣れなユーザは、そのエラーの取り扱いに関する彼らの質問に回答できる適切な技術者に繋がるまで、何回も問い合わせすることになる。
【０００４】
従来の手順の更なる欠点は、多くの場合、ユーザのそのエラーに関する説明が不完全であることだけでなく、装置タイプを混同し或いは表示されている装置番号を正確に読み取ることができないことである。従って、サービスホットラインを介して繋がった装置製造者の技術者は、そのエラーに対処する際の助言を、不正確な装置タイプ及び／又は不正確なエラー番号及び／又は不正確な装置番号に基づいて行うことになりうる。これは、例えば、技術者の指示がエラーを解決せず、装置が機能しないままとなることを意味する。この場合、一般的に、装置製造者の技術者及び／又は装置小売業者がユーザの地である装置の設置場所まで赴き、そのエラーを現地で解決することが必要となる。更に、多くの場合、混同により、異なる装置タイプ又は異なる装置のバージョン用の交換部品が、ユーザ又は顧客に配送される。これにより、エラーの解決が更に遅れてしまう。従って、エネルギー装置を始動する際の従来の手順、及び／又はそれらにおけるエラーを解決するための際の従来の手順は、それ自身が比較的エラーの影響を受けやすく、多くの場合、取り付けられたエネルギー装置のエラーの解決にかなりの遅延を引き起こす。更に、必要な情報を与えること、取り付け及び／又はエラーの解決の手助けを行うことは、比較的複雑であり、よって例えば連続的に利用可能なサービスホットラインが必要となる。
【０００５】
よって、本発明の目的は、ユーザが装置の取り付け、始動、操作、及びエラーの取り扱いを行うことを効率的且つ確実に手助けするエネルギー装置のための関連する装置情報データを提供するための方法及びシステムを提供することである。
【課題を解決するための手段】
【０００６】
この目的は、請求項１に記載される特徴を有するエネルギー装置による発明に従って解決される。
【０００７】
本発明は、電気エネルギーを回収、蓄積、又は供給するためのエネルギー装置であって、エネルギー装置のコンテキストデータに応じたコードを生成するコード生成ユニットと、ユーザの携帯端末によって受け取るための前記動的に生成されたコードを出力する出力ユニットとを備えたエネルギー装置、を提供する。
【０００８】
１つの考えられる実施形態では、前記出力ユニットは、前記エネルギー装置に一体化されている。他の実施形態では、前記出力ユニットは、前記エネルギー装置のインターフェースに接続されている。
【０００９】
１つの考えられる実施形態では、前記エネルギー装置の前記コンテキストデータは、内部コンテキストデータ及び／又は外部コンテキストデータを含んでいる。
【００１０】
これらのコンテキストデータは、好ましくは前記エネルギー装置のコンテキストデータ記憶部に蓄積されており、前記コード生成ユニットは、前記コンテキストデータ記憶部から読み出された前記コンテキストデータに応じた前記コードを生成するために、前記コンテキストデータ記憶部にアクセスする。
【００１１】
本発明に係るエネルギー装置の１つの考えられる実施形態では、内部コンテキストデータは、装置特定コンテキストデータを含む。
【００１２】
装置特定コンテキストデータは、好ましくは、前記エネルギー装置の装置タイプ、特に製造者ＩＤ又はシリアルナンバーである前記エネルギー装置の装置ＩＤ、前記エネルギー装置の予め設定された装置パラメータ又は設定変更可能な装置パラメータ、前記エネルギー装置の現在の装置設定又は前記エネルギー装置の装備品、及び／又は関連する前記エネルギー装置の装置製造者のサーバーのネットワークアドレス、を含む。
【００１３】
前記エネルギー装置のコンテキストデータ記憶部に記憶される前記外部コンテキストデータは、特に前記エネルギー装置の地理的な位置である環境特定コンテキストデータ、及び／又は、特にユーザの母国語及び／又は該ユーザの前記エネルギー装置の操作能力に関連するデータであるユーザ特定コンテキストデータ、を含む。
【００１４】
本発明に係るエネルギー装置の更に考えられる実施形態では、前記コンテキストデータは、前記エネルギー装置のセンサーによって自動的に取り込まれ、及び／又は、前記エネルギー装置のユーザインターフェースを介して、又はワイヤレスインターフェースを介して前記エネルギー装置に接続される携帯端末のユーザインターフェースを介して、前記ユーザによって入力される。
【００１５】
本発明に係るエネルギー装置の１つの考えられる実施形態では、一体化された又は接続されたエネルギー装置の出力ユニットは、動的に生成された２次元光学コードを表示する光学ディスプレイユニットを有している。
【００１６】
この動的に生成された２次元光学コードは、好ましくは、携帯端末のカメラによって取り込まれる。
【００１７】
１つの考えられる実施形態では、光学ディスプレイユニットに表示されて携帯端末のカメラによって取り込まれる動的に生成された光学２次元コードは、ＱＲコードである。
【００１８】
本発明に係るエネルギー装置の更に考えられる実施形態では、前記出力ユニットは、前記ユーザの携帯端末のマイクロフォンによって取り込むことができる、動的に生成された音声コード又は一つづきの音を出力する音響的な出力ユニットを有している。
【００１９】
本発明に係るエネルギー装置の更に考えられる実施形態では、取り込まれた前記コードの復号化が成功した後、前記ユーザの前記携帯端末は、前記エネルギー装置に関連する、前記コンテキストデータで特定されるコンテキストの装置情報データ、を与えるサーバーへのデータ接続を、ネットワークを通じて自動的に確立する。
【００２０】
１つの考えられる実施形態では、前記サーバーは、装置製造者又は装置小売業者のサーバーであってもよい。
【００２１】
本発明に係るエネルギー装置の更に考えられる実施形態では、前記サーバーによって与えられる前記関連する装置情報は、前記ネットワークを通じて前記ユーザの前記携帯端末に送られる。
【００２２】
本発明に係るエネルギー装置の更に考えられる実施形態では、前記ネットワークを通じて前記サーバーから前記ユーザの前記携帯端末によって受信された前記エネルギー装置の前記関連する装置情報データは、前記携帯端末のデータ処理ユニットによって処理されるか、又は、前記携帯端末のディスプレイにおいて直接前記ユーザに表示される。
【００２３】
本発明に係るエネルギー装置の更に考えられる実施形態では、前記サーバーから受信された前記関連する装置情報データは、前記携帯端末からワイヤレスインターフェースを介して前記エネルギー装置へ少なくとも一部が伝えられる。このように、前記端末装置は、インターネットからのデータをエネルギー装置へ提供する。
【００２４】
本発明に係るエネルギー装置の更に考えられる実施形態では、前記携帯端末から前記ワイヤレスインターフェースを介して前記エネルギー装置へ伝えられた前記関連する装置情報データは、前記エネルギー装置の前記光学ディスプレイユニットにおいて前記ユーザに表示され、又は、前記エネルギー装置の前記音声出力ユニットを介して、ユーザに音響的に出力される。
【００２５】
本発明に係るエネルギー装置の更に考えられる実施形態では、前記携帯端末の前記ディスプレイ及び／又は前記エネルギー装置の前記光学ディスプレイユニットに表示される前記関連する装置情報データは、調整用の操作説明、操作及び／又はコンテキスト特定エラーへの対処、組立説明、装備品説明、校正説明、及び／又は交換部品用の注文書を含む。
【００２６】
本発明に係るエネルギー装置の更に考えられる実施形態では、前記エネルギー装置は、溶接トーチに電気エネルギーを供給するためのエネルギー供給装置である。
【００２７】
本発明に係るエネルギー装置の更に考えられる他の実施形態では、前記エネルギー装置は、太陽放射及び／又は風力による電気エネルギーを回収するためのエネルギー回収装置である。
【００２８】
本発明に係るエネルギー装置の更に考えられる他の実施形態では、前記エネルギー装置は、電気エネルギーを蓄積するための蓄電池を含むエネルギー蓄積装置である。
【００２９】
前記蓄電池は、電気化学エネルギー蓄電池及び／又は燃料電池であってもよい。
【００３０】
本発明に係るエネルギー装置の更に考えられる他の実施形態では、前記エネルギー装置は、特にバッテリー等のエネルギー蓄電池に充電するための充電装置である。
【００３１】
本発明は、更に、関連する装置情報データをエネルギー装置に提供するための請求項１４に記載される特徴を有するシステムを提供する。
【００３２】
本発明は、前記エネルギー装置のコンテキストデータに応じてコードを動的に生成するコード生成ユニットと、ユーザの携帯端末によって受け取られた前記動的に生成されたコードを出力する出力ユニットとを備えたエネルギー装置の関連する装置情報を与えるシステムを提供する。前記出力ユニットによって出力された前記動的に生成されたコードは、前記ユーザの携帯端末によって取り込まれ、そしてその後、前記取り込まれた動的に生成されたコードの復号化が前記携帯端末の復号化ユニットによって成功した後、前記携帯端末は、前記エネルギー装置に関連する、前記コンテキストデータで特定される前記コンテキストの装置情報データ、を提供するサーバーとのデータ接続を確立する。
【００３３】
本発明は、更に、関連する装置情報データをエネルギー装置に与えるための請求項１４に記載されている方法を提供する。
【００３４】
本発明は、前記エネルギー装置のコード生成ユニットがコンテキストデータに応じたコードを生成するステップと、前記エネルギー装置の出力ユニットが前記動的に生成されたコンテキスト特定コードをユーザの携帯端末に出力するステップと、前記動的なコンテキスト特定コードが前記携帯端末の復号化ユニットによって復号化された後、前記ユーザの前記携帯端末とサーバーとの間のデータ接続が確立されるステップと、前記コンテキストデータで特定される前記コンテキストに関連する装置情報データを前記サーバーが提供するステップと、を含む。
【００３５】
以下では、本発明に係るエネルギー装置に、関連する装置情報データを提供するための本発明に係るシステム及び方法の考えられる実施形態が、添付の図面を参照して詳細に記載される。
【図面の簡単な説明】
【００３６】
【図１】図１は、関連する装置情報データをエネルギー装置に提供するための、本発明に係るシステムの一実施形態のブロック図である。
【図２】図２は、関連する装置情報データをエネルギー装置に提供するための、本発明に係る方法の一実施形態のフローチャートである。
【発明を実施するための形態】
【００３７】
図１に示すように、関連する装置情報データをエネルギー装置に提供するためのシステム１は、携帯端末３を備えており、その携帯端末３は、アクセスネットワーク４及びデータネットワークを介してシステムサーバー６に接続される。システムサーバー６は、例えばデータベース７にアクセスする。サーバー６は、例えば装置製造者のサーバーであってもよい。又は、サーバー６は、エネルギー装置２に一体化されていてもよい。エネルギー装置２は、電気エネルギーを回収、蓄積、又は供給するための装置、又は、バッテリーを充電するための装置である。１つの考えられる実施形態では、エネルギー装置２は、電気エネルギーを溶接トーチに供給するためのエネルギー供給装置である。更に考えられる実施形態では、エネルギー装置２は、再生可能なエネルギーから電気エネルギーを回収するためのエネルギー回収装置であってもよい。例えばそのエネルギー回収装置は、太陽放射及び／又は風力から得られる電気エネルギーを回収するためのものである。例えば、エネルギー装置２は、ソーラーパネルによって回収された直流電流ＤＣを、電力供給ネットワークのために交流電流ＡＣに変換するためのインバータであってもよい。また、更なる実施形態では、エネルギー装置２は、電気エネルギーを蓄積するための複数の蓄電池を備えているエネルギー蓄積装置であってもよい。１つの考えられる実施形態では、これらのエネルギー蓄電池は、電気化学エネルギー蓄電池である。更には、そのエネルギー蓄電池は、燃料電池であってもよい。更に考えられる実施形態では、エネルギー装置２は、エネルギー蓄電池、特にバッテリーを充電するためのものである。
【００３８】
エネルギー装置２は、１又はそれ以上のマイクロプロセッサを有しうるデータ処理ユニット２Ａを備えている。データ処理ユニット２Ａは、エネルギー装置２のコンテキストデータに応じてコードを動的に生成するコード生成ユニット２Ｂを含んでいる。エネルギー装置２は、好ましくは、コンテキストデータメモリ２Ｃを含んでいて、そこには、エネルギー装置２のコンテキストデータが蓄積される。コンテキストデータメモリ２Ｃは、エネルギー装置２に一体化されていてもよい。更に、コンテキストデータメモリ２Ｃは、取り外し可能なデータ搬送物、又はＵＳＢスティック等であってもよい。１つの考えられる実施形態では、エネルギー装置２は、ユーザ、サービスマン、又は個人が、エネルギー装置２のコンテキストデータをコンテキストデータメモリ２Ｃに入力するためのユーザインターフェース２Ｄを備えている。
【００３９】
エネルギー装置２は、出力ユニット２Ｅを備えている。その出力ユニット２Ｅは、コード生成ユニット２Ｂによって出力された動的に生成されたコードを携帯端末３に提供する。１つの考えられる実施形態では、出力ユニット２Ｅは、光学ディスプレイユニット２Ｆ及び／又は音声出力ユニット２Ｇを有していてもよい。コードは、インターフェースを介してエネルギー装置２に接続された装置、特にＰＣ、ラップトップ、又はプロジェクターに表示される。
【００４０】
コード生成ユニット２Ｂは、エネルギー装置２のコンテキストデータメモリ２Ｃに蓄積されているコンテキストデータに応じてコードを生成する。この目的のために、コード生成ユニット２Ｂは、データ処理ユニット２Ａを介して、コンテキストデータメモリ２Ｃから読み取られたコンテキストデータに応じたコードを生成するために、コンテキストデータメモリ２Ｃにアクセスする。コンテキストデータメモリ２Ｃのコンテキストデータは、特に端末装置２でエラーが発生した場合、例えばエネルギー装置２のスタートアップの間及び／又はエネルギー装置２を連続的に操作している間に発生するエラーが発生した場合に、時間経過ともに動的に変化してもよい。従って、コードは、ユーザが目下環境設定している及び／又は調査しているコンテキストデータから自動的に生成されて表示される。このような状況において、コードの生成が行われる。エネルギー装置２のコンテキストデータは、内部コンテキストデータ及び／又は外部コンテキストデータを含んでいてもよい。内部コンテキストデータは、例えば、装置特定コンテキストデータ、特に、エネルギー装置の特定装置タイプ又は装置バージョンを含んでいてもよい。更に、コンテキストデータは、エネルギー装置２の装置ＩＤ、特に、エネルギー装置２の装置製造者の製造者ＩＤ又はシリアルナンバーを含んでいてもよい。コンテキストデータメモリ２Ｃに蓄積された内部コンテキストデータは、更に、エネルギー装置２の予め設定された装置パラメータ又は設定変更可能な装置パラメータを含んでいて、特にエネルギー装置２の環境設定パラメータを含んでいてもよい。現在の装置設定と同様、内部コンテキストデータは、現在のエネルギー装置２の装備品、例えば溶接装置２に設けられた溶接ワイヤを追加で含んでいてもよい。更に、コンテキストデータは、好ましくはネットワークアドレス、例えばシステム１のサーバー６のＵＲＬを含んでいる。ネットワークアドレスは、例えば関連するエネルギー装置２の装置製造者のサーバーアドレスを明示する。
【００４１】
内部コンテキストデータと同様、１つの考えられる実施形態では、外部コンテキストデーが、コンテキストデータメモリ２Ｃに含まれていてもよい。これらの外部コンテキストデータは、例えば環境特定コンテキストデータ、特にエネルギー装置２の地理的な位置、又は関連するエネルギー装置２の設置場所の緯度経度、を含んでいる。加えて、コンテキストデータメモリ２Ｃ内の外部コンテキストデータは、ユーザ特定コンテキストデータ、特に顧客又はユーザＮの母国語に関するデータ、又はユーザのエネルギー装置２を設置又は操作する能力に関するデータ、を含んでいてもよい。例えば、これらのコンテキストデータは、ユーザＮが英語を母国語として話すことを明示してもよい。更に、コンテキストデータは、例えばユーザＮが、エネルギー装置２を設置又は操作する能力を特別に有していない個人ユーザであることを明示してもよい。エネルギー装置２の１つの考えられる実施形態では、エネルギー装置２は、該エネルギー装置２のコンテキストデータを自動的に取り込むことができるセンサー２Ｈも備えている。例えば、センサーを用いて取り込まれたコンテキストデータは、エネルギー装置２の現在の操作状態を明示する。例えば、コンテキストデータは、エネルギー蓄積装置２の蓄電池のエネルギー充電状態を明示してもよい。センサー２Ｈは、外部コンテキストデータ、例えば現在の太陽放射の強さを供給してもよい。
【００４２】
１つの考えられる実施形態では、様々なコンテキストデータ、例えば装置製造者のサーバーのネットワークアドレス、及びエネルギー装置２のシリアルナンバー、及びさらに他のパラメータ、例えば表示されるエラーのエラーコード、又は環境設定パラメータは、コード生成ユニット２Ｂに供給されたテキストストリングに結合又はリンクされていてもよい。このタイプのテキストストリングは、例えばサーバーから、http://Serveradresse?argument1&argument2、を読み出すことができる。従って、更なる引き数は、“＆”を用いることによって追加することができる。もちろん、コードは、メールサーバを指示してもよく、及び／又は、テキストデータのみを含んでもよい。従って、テキストデータは、直接端末装置に表示されてもよい。
【００４３】
コード生成ユニット２Ｂは、コーディングアルゴリズムを実行し、供給されたテキストストリング又はコンテキストデータから、出力ユニット２Ｅに渡される動的コードを生成する。エネルギー装置２の光学ディスプレイユニット２Ｆ、例えばＴＦＴスクリーンは、動的に生成された光学コードを出力してもよい。この光学コードは、例えば２次元の光学コード、特にＱＲコードである。更に、この光学コードは、バーコード等であってもよい。
【００４４】
１つの考えられる実施形態では、動的に生成された光学コードに加えて、又はその代わりに、コード生成ユニット２Ｂは、音声出力ユニット２Ｇのスピーカーによって連続して又は音として出力される音響的なコードを生成する。これは、装置２がほとんど明かりのない暗い領域に取り付けられた場合において、又は、ユーザＮが、エネルギー装置２を使用するためにエネルギー装置２の光学ディスプレイユニット２Ｆの十分近くに携帯端末３を持ってくることができない場合において、光学的に表示されるコード、特にＱＲコードは、携帯端末３のカメラ３Ａによって取り込むことが困難である場合に、有利である。更に、好ましくは、音声出力ユニット２Ｇは、エネルギー装置２が比較的小さく光学ディスプレイユニット用のスペースがない場合に用いることができる。更に、多くの場合、エネルギー装置に音声出力ユニットを取り付ける際の煩雑さは、光学ディスプレイユニット２Ｆを取り付ける場合よりも少ない。更に考えられる実施形態では、出力ユニット２Ｅは、光学ディスプレイユニット２Ｆ及び音声出力ユニット２Ｇの両方を備えており、これにより、生成されたコードが携帯端末３に、光学的及び音響的に送られる。その結果、それぞれによって取り込まれたコードが同一であることが確認されるため、携帯端末３によって出力された動的に生成されたコードが誤って取り込まれることを少なくすることができる。
【００４５】
本発明に係るエネルギー装置２の更に考えられる実施形態では、エネルギー装置２は、ワイヤレスの一方向又は双方向の無線データ送信を携帯端末３と行うことができるインターフェース２Ｉを備えている。
【００４６】
図１に示す携帯端末３は、例えばユーザＮの携帯電話であってもよい。更に、携帯端末３は、モバイルコンピュータ、モバイルタブレット、又はモバイルラップトップであってもよい。携帯端末３は、光学ディスプレイユニット２Ｆに視覚的に表示される動的に生成された光学コードを光学的に取り込むカメラ３Ａを含んでいる。この実施形態では、動的に生成された２次元の光学コードが表示され、可視周波数範囲内でカメラ３Ａによって取り込まれる。更に考えられる実施形態では、動的に生成された２次元光学コードは、可視範囲外、例えば赤外線周波数範囲内で表示される。これは、例えば操作を複雑にするため又は難しくするために、行うことができる。更に考えらえる実施形態では、動的に生成された複数の２次元光学コードは、カメラ３Ａによって取り込まれるのと同時に光学ディスプレイ２Ｆに表示される。これらの２次元光学コードは、異なる周波数範囲に含まれていてもよい。表示された光学２次元コードは、エネルギー装置２のそのときのコンテキストデータに応じて経時的に動的に変化する。もし、例えばエネルギー装置２が第１動作状態から第２動作状態へ変化した場合、光学ディスプレイユニット２Ｆに表示された動的に生成された光学コードは、自動的に変化する。取り込み時のエラーを防止するために、表示される又は出力されるコードは、いくつかの冗長性を有していてもよい。その冗長性は、アプリケーションによって異なっていてもよい。例えば、高い安全性が要求されるアプリケーション又は高い安全性が要求されるエネルギー装置２のコード冗長性の方が、それほど安全性が要求されないエネルギー装置よりも高い。
【００４７】
１つの考えられる実施形態では、携帯端末３は、出力された動的に生成された音響的なコードを音響的に取り込むために、カメラ３Ａだけでなく、マイクロフォン３Ｂを含んでいてもよい。図１に示す例では、カメラ３Ａ及びマイクロフォン３Ｂが携帯端末３のデータ処理ユニット３Ｃと接続されている。データ処理ユニット３Ｃは、復号化ユニット３Ｄを含んでいる。この復号化ユニット３Ｄは、カメラ３Ａ及び／又はマイクロフォン３Ｂを用いて取り込まれた動的コードを復号化するために設けられている。取り込まれた動的に生成されたコードが携帯端末３の復号化ユニット３Ｄによって復号化された後、携帯端末３は、自動的に、インターフェース３Ｅを介してサーバー６とのデータ接続を確立する。このような状況において、データベース７内の特定のデータフィールドに、コンテキスト依存リンクが生成され、前記コンテキストに対応した所望の関連する装置情報データが、サーバー６によって与えられる。
【００４８】
図１に示す実施形態では、携帯端末３は、システムサーバー（特に、エネルギー装置２の装置製造者のサーバー）への、対応するコンテキスト依存リンクの確立を、アクセスネットワーク４及びデータネットワーク５、例えばローカルデータネットワーク又はインターネットを介して、自動で確立する。
【００４９】
更に、図１で確認できるように、携帯端末３は、無線インターフェース３Ｆを任意で更に備えることもでき、これにより、エネルギー装置２と携帯端末３との間で更にデータのやりとりを行うことができる。例えば、これは、ＷＬＡＮインターフェースであってもよいし、或いはＮＦＣインターフェースであってもよい。１つの考えられる実施形態では、携帯端末３は、ディスプレイ３Ｇ、及び独自のユーザインターフェース３Ｈを更に備えている。１つの考えられる実施形態では、サーバー６から得られた関連する装置情報データが、データネットワーク５を介してユーザＮの携帯端末３に送られてもよい。１つの考えられる実施形態では、データネットワーク５を介してサーバー６からユーザＮの携帯端末３によって受信されたエネルギー装置２の関連する装置情報データは、携帯端末３のデータ処理ユニット３Ｃによって処理され、その後、ディスプレイ３Ｇに表示される。代わりの実施形態では、受信されたエネルギー装置２の関連する装置情報データは、処理されることなく、携帯端末３のディスプレイ３Ｇに、ユーザＮに対して直接、表示される。
【００５０】
１つの考えられる実施形態では、サーバー６から受信された関連する装置情報データは、ワイヤレスインターフェース、例えばＷＬＡＮインターフェースを介して携帯端末３からエネルギー装置２へ少なくとも一部が伝えられる。携帯端末３からワイヤレスインターフェースを介してエネルギー装置２へ伝えられる関連する装置情報データは、ユーザＮに対してエネルギー装置２の光学ディスプレイユニット２Ｆに表示され、及び／又は、エネルギー装置２の音声出力ユニット２Ｇを介して出力される。例えば、対応する音声による指示を、エネルギー装置２の音響的な出力ユニット２Ｇの音声出力ユニットのスピーカーによって出力することができる。１つの考えられる別の構成では、ユーザは、エネルギー装置２の関連する装置情報データを、携帯端末３のディスプレイ３Ｇ及びエネルギー装置２の出力ユニット２Ｅの双方から受け取る選択肢を有する。
【００５１】
１つの考えられる別の構成では、エネルギー装置２は、溶接トーチ用の電源である。１つの実施形態では、例えば、その電源のホームページアドレスが、コンテキストデータメモリ２Ｃに記憶されている。このホームページアドレス又はリンクは、電源の装置タイプによって異なっていてもよく、それぞれの場合において個々の構成に応じて、各時間の後に電源がオンされる。１つの考えられる別の構成では、テキストストリングは、ネットワークアドレス及び／又は別の装置パラメータ、例えばエネルギー装置２のシリアルナンバーによって生成することができ、コンテキストデータに応じて実行されるアルゴリズムにより、エネルギー装置又は電源２のコード生成ユニット２Ｂによって動的に生成されたコードに変換される。そのコードは、例えば、電源２の光学ディスプレイユニット２Ｆの２次元コードとして表示される。その表示された２次元コードは、携帯端末３のカメラ３Ａによって光学的に取り込まれ、携帯端末３のデータ処理ユニット３Ｃは、ユーザＮによるそれ以上の入力作業を要求することなく、装置製造者のホームページにおける適切なセクションにコンテキスト依存リンクを自動で生成する。表示されたコードがスキャンされると、個々のドキュメント（ウェブページ）へのリンクが生成される。それは、例えばバージョン情報、ＴＣＯデータ、運転時間データ、及び例えば電源等のエネルギー装置２において行われるべきセッティング等の、ユーザＮの装置に関連する、関連するコンテキスト特定情報を提供する。
【００５２】
１つの考えらえる実施形態では、エネルギー装置２用の操作説明書における適切なセクション、例えばその中に記載されている溶接の説明を含む溶接手順、へのリンクが自動的に提供される。更に、電源２の処理のためのパラメータの簡単なガイドだけでなく、ソフトウェアオプションもその中に提示される。更に、例えば、エネルギー装置２の保証に関する注意がそこに記憶されていてもよい。更に、ドキュメントライブラリ、個々のドキュメント、校正ドキュメント、サービスドキュメント、或いは組立説明書へのリンクが自動で確立されてもよい。更に、アドレスに接続するためのリンク、例えば国際的な又は国内の集められたアドレスに接続するためのリンクが確立されてもよい。更に、注文書のリンク、例えば、サービス、アクティベーションコード、交換部品、又はスペシャルプログラムのリクエスト用の注文書のリンク、が生成されることも可能である。更には、提供されたサービスの会計を、例えばマシンデータ又はプリントデータを送付することによって提供することも可能である。
【００５３】
１つの考えられる実施形態では、データ接続又はリンクが、シリアルナンバー、プリントデータ等のエネルギー装置又は電源２の電源情報に基づいて直接、確立され、１つの考えられる実施形態では、例えば注文書等のいわゆるウェブフォームに、特に信頼性の高い情報データの一部が、この種のコンテキストデータに基づいて既に記載されていてもよい。例えば、装置製造者のシリアルナンバーが、既にこの種のウェブフォームに記載されていてもよい。その結果、ユーザＮが複雑なシリアルナンバーを入力する際のタイピングエラーを防ぐことができる。従って、製品名、製品のシリアルナンバー、ユーザの照合等、電源に関する簡潔な情報を、サービス及び／又は修理を目的とした詳細情報として装置製造者のサーバー６に送信することができる。
【００５４】
上記コンテキストデータと同様、外部コンテキストデータ、特に環境特定コンテキストデータ又はユーザ特定コンテキストデータが、コードの動的な生成において考慮されてもよい。これらの環境特定コンテキストデータは、例えば溶接装置の緯度経度、又は設置位置である。ユーザ特定コンテキストデータは、例えば、ユーザＮの母国語を特定する。このように、関連する装置情報は、データベース７において対応する言語フィールドにアクセスすることにより、ユーザの母国語でサーバー６によって提供される。更に、エネルギー装置２が設置された言語エリアは、それの設置位置又は緯度経度によって決定されうる。
【００５５】
１つの考えらえる実施形態では、もしエラーが発生したら、ユーザＮは、エラーの詳細又は質問を、ユーザインターフェース２Ｄ、又は携帯端末３のユーザインターフェース３Ｈを介して、装置製造者のサーバー６に送ることができる。このように手動で入力されたデータ又はキーワードは、コンテキストデータを構成することができる。コンテキストデータは、イントリンシックなもの、言い換えれば、コンテキストデータメモリ２Ｃにおいて予め設定されたもの、又はユーザＮによって少なくとも一部が入力されたものであってもよい。更に、コンテキストデータは、センサー、例えばエネルギー装置２のイメージセンサー２Ｈを用いて取り込まれてもよい。例えば、エネルギー蓄積装置２の充電率ＳｏＣがコンテキストデータとして取り込まれてもよい。もし、例えば充電率が低く、ユーザＮが発生したエラーを解決するためにシステムサーバーに質問した場合、サーバー６は、例えば自動的に、そのエラーを修正するための手順をユーザに提供する操作説明書に繋がることができる。この簡単な例では、ユーザＮは、プラグをコンセントに差し込んで充電率が十分に上昇するまである程度の時間待つことによって充電率ＳｏＣを上昇させるように言われる。非常に広範囲に亘る操作説明書における、このような特定領域への接続は、エネルギー装置２のそのときの状態に応じて動的に変化する内部コンテキストデータ及び外部コンテキストデータに応じて動的に生成されたコードによって自動的に行われる。
【００５６】
図１に示すシステム１では、動的に生成されたコードは、ワイヤレス又は非接触、言い換えれば、画像がカメラ３Ａによって取り込まれ、及び／又は、音がユーザＮによって持ち運ばれる携帯端末のマイクロフォン３Ｂによって取り込まれる。
【００５７】
携帯端末３は、例えばユーザＮのスマートフォンであってもよい。この場合、ユーザＮは、携帯端末３のデータ処理ユニット３Ｃを用いて、取り込まれた動的に生成されたコードを復号化するアプリケーションプログラム又はアプリをダウンロードできる。１つの考えられる実施形態では、ユーザＮは、装置製造者のサーバー６からアプリケーションプログラムをダウンロードできる。１つの考えられる実施形態では、ダウンロードのために、ユーザ又は顧客は、ダウンロードすることに関して認証されているとして、例えば、顧客番号及び／又は請求書又は配達番号を特定することによってサーバー６に自身を認証しなければならない。
【００５８】
更に別の構成では、動的に生成されたコードが取り込まれた後にそのコンテキストに応じて、ユーザＮは、携帯端末３を用いて、電話で装置製造者のホットラインサービス番号に自動で繋がる。そしてそのホットラインの番号は、その装置の装置タイプ及び／又はエネルギー装置２のその時の状態に適した番号である。この実施形態では、ユーザは、あるサービスマンから、その装置タイプについて必要な情報を十分に有している他のサービスマンに引き渡される必要がなくなる。この実施形態では、それらの情報が主に電話で伝えられている間、装置情報データは、携帯端末３のディスプレイユニット３Ｇに、必要に応じて追加でユーザＮに表示される。その装置情報データは、記憶されている一続きの音声及び／又は合成された音声によって生成されて伝えられてもよい。１つの考えられる別の構成では、電話で伝えられる装置情報データは、携帯端末３のディスプレイ３Ｇ及び／又はエネルギー装置２の光学ディスプレイユニット２Ｆに追加で表示されてもよい。この別の構成によれば、ユーザＮは、データネットワーク５を介した情報データ、及び電話網を介した電話による情報データ、の双方を得る。
【００５９】
更に別の構成では、ユーザＮがエネルギー装置２のエラーに対処している間、例えば、ユーザが実際の指示、及び／又はデータベースで規定されたサブルーチンエラーの取り扱いに従って行動しているか、端末装置２に設けられたセンサー２Ｈによって、装置製造者のサービスマンが追加で監視することができる。例えば、動的に生成されたコード、特にＱＲコードは、サーバー６又は装置製造者の対応するサービスマンがエネルギー装置２における状態の変化をリアルタイムで検出し追跡できるように、エネルギー装置２の状態が変化する毎に携帯端末３に送られる。対応する装置情報データ又は指示は、状態の変化に応じて、携帯端末３を介してリアルタイムでユーザに伝えることもできる。
【００６０】
本発明に係るシステム１の更に考えられる実施形態では、動的に生成されたコードが、調整可能な時間間隔で、例えば１０秒間隔で、定期的に生成される。エネルギー装置２のタイプに応じて、この時間間隔又は監視間隔は調整されうる。エネルギー装置２は、エネルギー装置２の設置段階の間だけでなく、操作段階の間も監視することができる。送信された装置情報データは、エネルギー装置２のその時点の状態と関連する警告メッセージを含むことができる。もし、例えばセンサーを用いて取り込まれたコンテキストデータに基づく復号化された動的コードがエネルギー装置２の危険な状態を示す場合、サーバー６は、自動的に、ユーザNの携帯端末３に警告メッセージを送信することができる。警告メッセージは、例えば、携帯端末３に設けられたスピーカーによって音響的に携帯端末３から放出されてもよい。その結果、例えば、ユーザが、装置情報データとして受け取ったエラー対処ルーチンを行っているときに、そのエラー対処が行われている最中に、装置製造者のサーバー６から通知又は警告を受け取ることができる。
【００６１】
図１に示す実施形態では、システム１は、エネルギー装置２を備えている。他の別の構成では、任意で互いに接続される複数のエネルギー装置２が設けられていてもよい。この状況において、各エネルギー装置２は、自身の出力ユニット２Ｅ、又はグラフィカルユーザインターフェースＧＵＩを有していてもよい。
【００６２】
図２は、エネルギー装置２のための関連する装置情報データを提供するための本発明に係る方法の考えらえる実施形態のフローチャートを含んでいる。
【００６３】
第１ステップＳ１では、コード生成ユニット（例えば図１に示すコード生成ユニット２Ｂ）によって、エネルギー装置２のコンテキストデータに応じたコードが生成される。この状況において、コード生成ユニット２Ｂは、例えばコンテキストデータメモリ２Ｃからコンテキストデータを読み取る。コンテキストデータは、内部コンテキストデータ及び／又は外部コンテキストデータを含むことができる。
【００６４】
続いて、ステップＳ２では、動的に生成されたコンテキスト特定のコードが、出力ユニットによって（例えば図１に示す出力ユニット２Ｅによって）、ユーザＮの携帯端末３に出力される。１つの考えられる実施形態では、生成されたコードは、光学的な形式、例えば２次元光学コード、特にＱＲコードによって出力される。更に、生成されたコードが、音響的な形式、例えば音声信号又は一つづきの音として放出されることも考えられる。
【００６５】
更なるステップＳ３では、動的なコンテキスト特定コードが復号化された後、データ接続又はリンクが、ユーザの携帯端末３とサーバー（例えば図１に示すサーバー６）との間で自動的に確立される。そのリンクは、問題となっているコンテキストと特に関連し、適切な情報又は指示が含まれている装置情報データが配置されている、ある範囲を指し示している。
【００６６】
更なるステップＳ４では、コンテキストデータで特定されるエネルギー装置２のコンテキスト、に適切な関連する装置情報データが、サーバー６によって与えられる。
【図１】
0006389255.tif 000002
【図２】
0006389255.tif 000003